【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
放射線撮影により取得された画像データ中から、放射線を照射した領域を照射領域として判定する照射領域判定方法であって、
前記画像データを代表する第１の特性値を算出する第１の特性値算出工程と、
前記画像データを複数の画像データ領域に分割し、該複数の画像データ領域をそれぞれ代表する第２の特性値群を算出する第２の特性値算出工程と、
前記第２の特性値群に基づいて前記分割した領域がそれぞれ照射領域であるか否かを判定する判定工程とを備えたことを特徴とする照射領域判定方法。
【請求項２】
前記判定工程は、前記第１の特性値と前記第２の特性値群とをそれぞれ比較し、前記第２の特性値が前記第１の特性値より大きい場合に、該第２の特性値を計算した画像データ領域が照射領域であると判定することを特徴とする請求項１に記載の照射領域判定方法。
【請求項３】
前記第２の特性値は、前記複数の画像データ領域それぞれにおける前記第１の特性値の出現頻度であり、
前記判定工程は、前記第２の特性値が所定値よりも大きい場合に該第２の特性値を計算した画像データ領域が照射領域であると判定することを特徴とする請求項１に記載の照射領域判定方法。
【請求項４】
前記第１の特性値は、前記画像データ領域中の画素値の最大値から決まる値、平均値、中間値のいずれかであることを特徴とする請求項１〜３の何れか１項に記載の照射領域判定方法。
【請求項５】
前記第２の特性値は、前記複数の画像データ領域ごとの画素値の平均値、中間値のいずれかであることを特徴とする請求項１又は２に記載の照射領域判定方法。
【請求項６】
前記第１の特性値算出工程は、前記画像データ全体の画素値のヒストグラムを作成し、作成したヒストグラムの形状から前記第１の特性値を求めることを特徴とする請求項１〜５の何れか１項に記載の照射領域判定方法。
【請求項７】
前記第１の特性値は、前記ヒストグラムの高画素値側から最初の凹部の最窪み点であることを特徴とする請求項６に記載の照射領域判定方法。
【請求項８】
前記複数の画像領域は、前記画像データ全体を方形状に分割した領域であることを特徴とする請求項１〜６の何れか１項に記載の照射領域判定方法。
【請求項９】
放射線撮影により取得された画像データ中から、放射線を照射した領域に対応する照射領域を抽出するために、前記画像データを代表する第１の特性値を算出する第１の特性値算出手段と、
前記画像データを複数の画像データ領域に分割し、該複数の画像データ領域をそれぞれ代表する第２の特性値群を算出する第２の特性値算出手段と、
前記第２の特性値群に基づいて前記分割した領域がそれぞれ照射領域であるか否かを判定する判定手段としてコンピュータを機能させるためのコンピュータプログラムを記憶したことを特徴とするコンピュータ読み取り可能な記憶媒体。
【請求項１０】
放射線撮影により取得された画像データ中から、放射線を照射した領域に対応する照射領域を抽出する照射領域判定装置であって、
前記画像データを代表する第１の特性値を算出する第１の特性値算出手段と、
前記画像データを複数の画像データ領域に分割し、該複数の画像データ領域をそれぞれ代表する第２の特性値群を算出する第２の特性値算出手段と、
前記第２の特性値群に基づいて前記分割した領域がそれぞれ照射領域であるか否かを判定する判定手段とを備えたことを特徴とする照射領域判定装置。
【手続補正２】
【補正対象書類名】明細書
【補正対象項目名】００１０
【補正方法】変更
【補正の内容】
【００１０】
【課題を解決するための手段】
上記目的を達成するために、本発明による照射領域判定方法は、放射線撮影により取得された画像データ中から、放射線を照射した領域を照射領域として判定する照射領域判定方法であって、前記画像データを代表する第１の特性値を算出する第１の特性値算出工程と、前記画像データを複数の画像データ領域に分割し、該複数の画像データ領域をそれぞれ代表する第２の特性値群を算出する第２の特性値算出工程と、前記第２の特性値群に基づいて前記分割した領域がそれぞれ照射領域であるか否かを判定する判定工程とを備えたことを特徴とする。
【手続補正３】
【補正対象書類名】明細書
【補正対象項目名】００１１
【補正方法】変更
【補正の内容】
【００１１】
本発明によるコンピュータ読み取り可能な記憶媒体は、放射線撮影により取得された画像データ中から、放射線を照射した領域に対応する照射領域を抽出するために、前記画像データを代表する第１の特性値を算出する第１の特性値算出手段と、前記画像データを複数の画像データ領域に分割し、該複数の画像データ領域をそれぞれ代表する第２の特性値群を算出する第２の特性値算出手段と、前記第２の特性値群に基づいて前記分割した領域がそれぞれ照射領域であるか否かを判定する判定手段としてコンピュータを機能させるためのプログラムを記憶したことを特徴とする。
【手続補正４】
【補正対象書類名】明細書
【補正対象項目名】００１２
【補正方法】変更
【補正の内容】
【００１２】
本発明による照射領域判定装置は、放射線撮影により取得された画像データ中から、放射線を照射した領域に対応する照射領域を抽出する照射領域判定装置であって、前記画像データを代表する第１の特性値を算出する第１の特性値算出手段と、前記画像データを複数の画像データ領域に分割し、該複数の画像データ領域をそれぞれ代表する第２の特性値群を算出する第２の特性値算出手段と、前記第２の特性値群に基づいて前記分割した領域がそれぞれ照射領域であるか否かを判定する判定手段とを備えたことを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００３９
【補正方法】変更
【補正の内容】
【００３９】
【発明の効果】
以上説明したように本発明によれば、画像データを分割することにより得られた複数の画像データ領域をそれぞれ代表する第２の特性値群に基づいて前記分割した画像データ領域が照射領域であるか否かを判定するようにしたので、画像データの全領域を処理する必要がなく、計算時間を短縮できる効果がある。
【手続補正９】
【補正対象書類名】明細書
【補正対象項目名】００４０
【補正方法】変更
【補正の内容】
【００４０】
また、前記分割した画像データ領域が照射領域であるか否かを判定するので、照射領域の抽出結果を検証することができ、照射領域の抽出を誤った場合に、照射領域の抽出を再度行うことができ、照射領域の抽出精度が上がる効果がある。
さらに、誤抽出した場合には、他の照射領域抽出方法を使用することができ、複数の照射領域抽出方法を組み合わせることにより、照射領域抽出の精度がさらに上がる効果がある。
【手続補正１０】
【補正対象書類名】明細書
【補正対象項目名】００４１
【補正方法】変更
【補正の内容】
【００４１】
また、本発明の他の特徴によれば、前記第２の特性値として、前記画像データを代表する第１の特性値の出現頻度を用いているため、画像データ領域に金属片が入っている場合でも、金属片の濃度値の影響を受けることなく、安定した判定を行うことができる。また、出現頻度を用いているため、高濃度又は低濃度のノイズの影響も受けずに、安定した判定を行うことができる。
【手続補正１１】
【補正対象書類名】明細書
【補正対象項目名】００４２
【補正方法】変更
【補正の内容】
【００４２】
また、本発明の他の特徴によれば、前記画像データの画素値のヒストグラムの形状から前記第１の特性値を求めるようにしたので、す抜け領域を安定して抽出できる効果がある。